(57)【要約】【課題】本発明は、密封キャップおよび壁部分を具備しかつ口を有する容器のための蓋締装置に関する。【解決手段】蓋締装置（１）は、壁部分（５）の外周面（２４）から突出しており、安全リングの領域に設けられており、かつ周方向に見て側方に安全リングによって取り囲まれる少なくとも１つのカム（２５）が設けられていることを特徴とする。
2006527690.tif 000002
【特許請求の範囲】
【請求項１】
密封キャップおよび壁部分を具備し、かつ口を有する容器のための蓋締装置であって、前記密封キャップは、前記口を覆うために用いられる底部と、この底部から延びたジャケットと、このジャケットの、前記底部から離隔した縁部に設けられた安全リングとを有し、この安全リングは、予定破断線によって、前記ジャケットと接続されており、好ましくは少なくとも１つの垂直方向の切れ目を有し、前記壁部分は前記口を取り囲み、少なくとも部分的に、前記密封キャップの前記ジャケットによって覆われてなる蓋締装置において、
前記壁部分（５）の外周面（２４）から突出し、前記安全リング（１５）の領域に設けられ、周方向に見て側方に前記安全リングによって取り囲まれる少なくとも１つのカム（２５）が設けられていることを特徴とする蓋締装置。
【請求項２】
前記カム（２５）は、前記密封キャップ（７）の前記底部（９）に面した、前記安全リング（１５）の前記縁部（２７）の領域に設けられていることを特徴とする請求項１に記載の蓋締装置。
【請求項３】
前記密封キャップ（７）は、変形可能な材料から、好ましくはアルミニウムからなることを特徴とする請求項１または２に記載の蓋締装置。
【請求項４】
前記密封キャップ（７）は、装着された状態では、前記縁部（２７）の領域で縁取りされており、この結果、縁取り領域は前記カム（２５）を側方で取り囲むことを特徴とする前記すべての請求項のいずれか１に記載の蓋締装置。
【請求項５】
前記壁部分（５）は、前記口に接続している環状ビード（３５）を有し、前記カム（２５）は、前記壁部分（５）の、前記環状ビード（３５）に直に接続する領域に設けられていることを特徴とする前記すべての請求項のいずれか１に記載の蓋締装置。
【請求項６】
前記カム（２５）は、前記環状ビード（３５）の領域へ延びていることを特徴とする前記すべての請求項のいずれか１に記載の蓋締装置。
【請求項７】
前記カムは、前記環状ビード（３５）よりも更に、前記壁部分（５）の前記外周面（２４）を越えて延びていることを特徴とする前記すべての請求項のいずれか１に記載の蓋締装置。
【請求項８】
前記容器（３）の前記口に挿入可能なストッパ（４１）を有し、このストッパに前記密封キャップ（７）が装着可能であることを特徴とする前記すべての請求項のいずれか１に記載の蓋締装置。
【請求項９】
口を有する容器を、密封キャップおよび壁部分を有する蓋締装置によって、特に、請求項１ないし８のいずれか１に記載の蓋締装置によって密封する方法であって、前記密封キャップは、前記口を覆うために用いられる底部と、この底部から延びているジャケットと、このジャケットの、前記底部から離隔した縁部に設けられた安全リングとを有し、この安全リングは、予定破断線によって、前記ジャケットと接続されており、好ましくは少なくとも１つの垂直方向の切れ目を有し、前記壁部分は前記口を取り囲み、少なくとも部分的に、前記密封キャップの前記ジャケットによって覆われ、
前記密封キャップを容器の口に装着する工程と、
前記密封キャップを押し被せる工程と、
前記密封キャップの前記底部から離隔した、前記安全リングの前記縁部を、縁取りする工程とを具備し、この縁部は、前記カムの領域では、変形されず、この結果、前記安全リングの、隣接の縁取りされた領域が、前記カムを側方で覆う、方法。
【請求項１０】
容器の前記口には、まず、ストッパが挿入され、前記密封キャップが前記ストッパの上に被せられることを特徴とする請求項９に記載の方法。
【発明の詳細な説明】
【技術分野】
【０００１】
本発明は、口を有する容器のための請求項１の前提部分に記載の蓋締装置と、ここに記載したタイプの蓋締装置によって、口を有する容器を蓋締めするための請求項９の前提部分に記載の方法とに関する。
【背景技術】
【０００２】
容器を蓋締めするための蓋締装置は知られている。これらの蓋締装置は、容器の口を覆う密封キャップを有し、この密封キャップは底部と、この底部から出ているジャケットとを有する。ジャケットの、底部から離隔した縁部には、安全リングが設けられている。この安全リングは、予定破断線によって、ジャケットと接続されており、好ましくは少なくとも１つの垂直方向の切れ目を有する。安全リングは、容器の最初の開けおよび密封キャップにおける取扱いを示すために用いられる。その目的は、使用者が、閉じられた容器に損傷がないか否かをチェックできるようにするためである。知られた蓋締装置は、ねじによって、場合によってはバイオネット・ロックによって、閉じられる容器と接続されている密封キャップか、あるいは、容器の口に挿入されたストッパを保持する密封キャップを有する。安全リングは、容器を最初に開ける際に、密封キャップが回転軸の方向に移動されること、および密封キャップを捻って開ける際に安全リングを破り開く適切な逆鉤等が設けられていることによって破り開けられる。従って、このタイプの蓋締装置は比較的面倒であり、従ってまた製造するには高価である。
【発明の開示】
【発明が解決しようとする課題】
【０００３】
従って、本発明の課題は、安全リングの安全機能を損なうことなく簡単にかつ安価に製造されることができる蓋締装置を提供することである。
【課題を解決するための手段】
【０００４】
この課題を解決するために、請求項１に記載の特徴を有する密封キャップが提案される。この密封キャップは、底部と、この底部から延びているジャケットと、安全リングとを有する。この安全リングは、好ましくは少なくとも１つの垂直方向の切れ目すなわち材料の脆弱線（Materialschwaechung1slinie）を有する。この脆弱線は、安全リングの高さに亘って、従って安全リングの周方向に対し実質的に直角方向に延びており、安全リングがここで破り開くことができるように設定されている。更に、蓋締装置は、容器の口を取り囲む壁部分を有する。壁部分は、少なくとも部分的に、密封キャップのジャケットによって覆われ、壁部分の外周面から突出している少なくとも１つのカムが設けられていることを特徴とする。カムは、安全リングの領域に設けられており、側方に前記安全リングによって取り囲まれる。このことは、密封キャップが捻回されるとき、カムの、周方向に見て側方の境界面が、安全リングと係合していることを意味する。従って、形状係合が達成される。
【０００５】
密封キャップが捻回されるとき、カムは、安全リングが破り開けられるまで、安全リングを外側へ押しやる。安全リングの破り裂きは、ここでは垂直方向の切れ目とも呼ばれる少なくとも１本の脆弱線によって容易化される。安全リングの破り開きによって、密封キャップを、容器の口から、すなわち、ここに述べた壁部分から容易に取り除くことができるのは、密封キャップと壁部分の間の軸方向の相対運動を実行することによってである。従って、カムは、密封キャップの捻回の際に安全リングを拡張し、好ましくは破り開けるために用いられる。この場合、密封キャップと、容器の口を取り囲む壁部分との間に、ねじが設けられることは不必要である。このことは、蓋締装置の製造を著しく簡略化し、従ってまた製造コストを減らす。
【０００６】
更に、従って、蓋締装置は、特に使用者に対し優しい。何故ならば、双方向へのすなわち時計回りおよび逆時計回りへの密封キャップの捻回によって安全リングが破り開かれるからである。
【０００７】
蓋締装置の特に好ましい実施の形態では、容器が、ストッパによって閉じられ、密封キャップが前このストッパの上に被せられ、従ってまた容器の口に装着されることが提案されている。この場合、密封キャップの底部が容器の口を覆うが、底部と口の間には、容器を閉じるストッパが設けられている。
【０００８】
他の実施の形態は従属請求項から明らかである。
【０００９】
この課題を解決するために、請求項９に記載の特徴を有する方法が提案される。この方法は以下の段階を有する。すなわち、密封キャップが容器の口に装着され、例えばプランジャによって押し被される。密封キャップの自由下縁、すなわち安全リングの縁部が縁取りされ、すなわち、容器の口を取り囲む壁領域の方向に変形される。但し、カムの領域には、このような変形が行なわれない。それ故に、安全リングはカムを側方で取り囲む。このことによって、密封キャップの捻回の際に、カムが安全リングを拡張し、好ましくは破り開けることが保証される。
【００１０】
方法の好ましい実施の形態では、まず、ストッパが容器に装着され、次に密封キャップが押し被せられる。かくて、上記方法の第１の工程、すなわち容器の口への密封キャップの装着がなされる。次に、他の工程が、上記のように、続く。
【発明を実施するための最良の形態】
【００１１】
以下、図面を参照して本発明を詳述する。図１は、口を有する容器３のための蓋締装置１を示す。容器のうち、ここでは、口を取り囲む壁部分５が示されている。この壁部分は、少なくとも部分的に、密封キャップ７によって覆われている。
【００１２】
この密封キャップ７は、容器の口を覆う底部９を有する。この底部には、この図では左側に、ジャケット１１が接続されている。安全リング１５は、予定破断線１３によって、ジャケットと接続されている。
【００１３】
予定破断線１３は、ここでは、密封キャップ７の周方向に延びている複数のスリット１７を有する。これらのスリットの端部は、夫々、ブリッジ１９に隣り合っている。これらブリッジは、安全リング１５とジャケット１１との間に延びており、狭く形成されている。この結果、ブリッジは、安全リング１５をジャケット１１にしっかり保つが、安全リング１５の複数の部分の旋回運動を可能にする。これらの部分については、下記に、詳細に立ち入る。予定破断線１３は、材料の弱さ（Materialschwaechung）によって、すなわち、肉厚の少ない線状の領域によって形成されることができる。
【００１４】
安全リング１５は、少なくとも１つの、ここに示された実施の形態では複数の垂直方向の切れ目２１，２１´を有する。これらの垂直方向の切れ目は、安全リング１５の周方向に直角に、すなわち、容器３および密封キャップ７の、ここに示した部分の、その中心軸２３に対しほぼ平行に延びている。垂直方向の切れ目２１，２１´は、安全リング１５の材料を弱くするために用いられ、安全リングが垂直方向の切れ目２１，２１´の領域で破り開かれることを可能にする。垂直方向の切れ目は、材料の弱さによって、すなわち、肉厚の少ない領域によって、しかしまた、安全リング１５の材料への切れ目によって形成されることができる。「垂直方向の切れ目」という表現は、安全リング１５に設けられた引き裂き領域に言及するためにのみ用いられるのであって、このような領域の成形を規定するためには用いられない。
【００１５】
壁部分５の外周面２４には、ここでは、カム２５が設けられている。このカムは、図1を見る者に向いており、安全リング１５の、密封キャップ７の底部９から離隔した縁部２７の領域に設けられている。このカムは、周方向に位置している側縁で、起動斜面２９，２９´を有する。側縁は、鋭角で、壁部分５の外周面２４に移行する。
【００１６】
前記カム２５は、壁部分５の一体的な構成要素であることは好ましい。しかし、別個のカムを壁部分５に装着し、あるいはこの壁部分に挿入することも考えられる。カムは、ここで示すように、外周面２４を越えて突出している。
【００１７】
壁部分５の周方向に対し直角方向に見て、前記カム２５は以下のような幅、すなわち、中心線２３の方向に測った、ジャケット１１の高さが、製造上の理由により変わるとしても、カムがいずれにせよ縁部２７の領域に設けられているように、定められている幅を有する。
【００１８】
しかし、種々の密封キャップ７、すなわち、壁部分５を多かれ少なかれ覆う密封キャップを容器３に装着することができるほどに、カム２５の幅を意識的に大きく定めることも可能である。
【００１９】
ここに示した実施の形態では、カム２５は、一方では、縁部２７を幾らか越えて安全リング１５の下方に延びており、他方では、縁部２７を遥かに越えて突出している。
【００２０】
縁部２７の領域では、安全リング１５は縁取りされている。このことは、密封キャップ７と容器３の間の移行領域の上下に、特に良好に認められる。従って、密封キャップ７のジャケット１１は、安全リング１５の領域で、外周面２４の方向に曲げられており、好ましくは縁取りされている。図１は、カム２５の、図を見る人に向いた上面３１では、安全リング１５の縁部２７が縁取りされていないことを明示する。安全リング１５の壁部は、実質的に、カム２５の外側輪郭に形成されている。それ故に、縁部２７は、カム２５の起動斜面２９，２９´に接触しており、カムは、周方向に見て側方に、安全リングによって取り囲まれる。
【００２１】
但し、蓋締装置１の機能に関しては、安全リング１５が、安全リングの余りに強い膨張なしにカム２５を収容することができてなる領域を有すること、およびカム２５が安全リング１５の壁部によって側方で取り囲まれるので、形状係合が達成されることのみが、必要である。この場合、安全リング１５の縁部２７がカム２５の起動斜面２９，２９´に直に接触していることは必ずしも必要ではない。安全リング１５と起動斜面２９，２９´との間の間隔が与えられていることも考えられる。安全リングが損傷を受けることなく、カム２５が部分的に安全リング１５に入り込むことができることは重要である。しかし、隣接領域では、安全リング１５の縁部２７が壁部分５の外周面２４に接近している。それ故に、密封キャップ７が容易に捻回されることはない。
【００２２】
図１は、蓋締装置１を閉じた状態で示す。すなわち、安全リング１５は損傷を受けていない。
【００２３】
図２は、図１に示した蓋締装置１を示す。但し、開けた状態にある。同一の部材には、同一の参照符号が付されている。それ故に、図１に関する記述を参照するようい指示する。
【００２４】
図２は、安全リング１５が破り開かれていることを明示する。すなわち、少なくとも１つの垂直方向の切れ目２１，２１´は裂け目ができており、２つの隣り合った垂直方向の切れ目の間に位置している、安全リング１５の環状セグメントは、壁部分５の外周面２４から見て外側に旋回される。図２は、スリット１７がその輪郭を変えることを明示する。特に、破り開かれた垂直方向の切れ目の領域に位置しているスリットが著しく拡張される。２つの垂直方向の切れ目の間に位置している、安全リング１５の環状セグメントは、破り開かれておりかつ外側に曲げられた状態でも、ブリッジ１９によって保たれる。このために、安全リング１５は、密封キャップ７のジャケット１１に保たれ、かつジャケットと共に容器３から取り外される。破り開かれた環状セグメントは、取扱いおよび最初の開きを、拡張された安全リングよりも明瞭に示す。
【００２５】
安全リング１５の破り開きは、以下のようになされる。密封キャップ７および容器３は相対捻回される。それ故に、起動斜面２９，２９´は、外周面２４の方向に曲げられた、安全リング１５の縁部２７を、外側へ押圧し、安全リングは拡張され、好ましくは破り開かれる。このことは、少なくとも１つの垂直方向の切れ目２１によって、容易化される。
【００２６】
密封キャップ７が、成形可能な材料、好ましくはアルミニウムシートからなるとき、外周面の方向に曲げられた縁部２７によって保証されるのは、安全リング１５では、起動斜面２９，２９´によって、外側へすなわち外周面２４から離れた方向に向けられた力が生起され、これらの力が最後には安全リング１５を押し破ることである。密封キャップ７が他の材料から製造されるとき、カム２５が密封キャップの装着の際に安全リング１５を破り開かないためには、密封キャップの装着の際に、カム２５の領域に、より薄い壁部分を保証することのみが必要である。薄い肉厚の領域には、周方向に見て、より厚く設定されている肉厚を有する安全リングの部分が接続されている。より厚みのあるこれらの領域が起動斜面２９，２９´に突き当たるのは、密封キャップ７が捻回されるときである。このことによって、例えばプラスチック材料からなることができる密封キャップ７の、このような構造でも、安全リング１５は、カム２５によって破り開かれる。
【００２７】
図２は、カム２５が、縁部２７を越えて、右へ、安全リングの下へ突入することも示す。ここでも、カム２５が、安全リング１５の縁部２７の領域に設けられており、密封キャップ７の製造の際に製造公差を補償することができるように、縁部が左右に出っ張ることが明らかになる。
【００２８】
図３は、密封キャップ７を容器３に装着した直後の蓋締装置を示す。同一の部材には同一の参照符号が付されている。このために、繰返しを避けるために、前記複数の図に対する記述を参照するよう指示する。
【００２９】
図３に示した例では、縁部２７が、残りの安全リング１５と同一の円周線上に位置していることが明らかとなる。従って、密封キャップ７は、安全リング１５の領域が外周面２４の方向に曲げられかつ変形されることなく、容器３にのみ装着されている。従って、密封キャップ７はまだ自由に回転可能である。何故ならば、周方向に見て側方にある、カム２５の境界縁部、すなわち、起動斜面２９，２９´がまだ取り囲まれないからである。
【００３０】
図４は、密封キャップが取り外された容器３を、斜視図で示す。同一の部材には同一の参照符号が付されている。それ故に、繰返しを避けるために、前記複数の図に対する記述を参照するよう指示する。
【００３１】
図４は、壁部分５を示し、この壁部分の外周面２４から、カム２５が出ている。壁部分５は、容器３の口３３を取り囲んでいる。この容器が、口３３を取り囲む環状ビード３５を有することは好ましい。この環状ビード３５の、口３３に面した端部には、カム２５が設けられている。密封キャップ７が装着されるとき、下縁２７が、環状ビード３５の、口３３から離隔した縁部３７の領域で、曲げられるか縁取りされることができ、かくて、環状ビード３５の外側の環状面３９よりも近くで外周面２４に位置していることが明らかになる。従って、外周面２４の直径は環状面３９よりも小さい。かくて、環状ビード３５は、安全リング１５の、縁取りされた縁部２７のための取付用リムである。それ故に、密封キャップ７は、容器３にしっかり取り付けられることができる。容器３が、環状ビード３５の領域に、雄ねじを有しないことは明らかである。従って、密封キャップ７の内側に、対応の雌ねじを備えることは不必要である。従って、密封キャップ７を容器３に装着し、摩擦係合好ましくは形状係合によって、すなわち、安全リング１５の縁部２７を、環状ビード３５の、口３３から離隔した縁部３７の回りに曲げることによって、容器にしっかりと取り付けることも可能である。
【００３２】
以上の説明からは、環状ビード３５が、密封キャップ７を容器３に取り付けるために用いられることが明らかになる。この取付が、当然ながら、達成されるのは、環状ビード３５の代わりに、幾つかのビード領域のみが設けられており、これらのビード領域が、容器３の外周面に配設されており、夫々、口３３から離隔した縁部３７を有し、密封キャップ７の下縁２７が前者の縁部に入り込むことができる場合である。しかし、密封キャップ７を容器３に取り付けるためには、連続的な環状ビード３５を選択することは好ましい。何故ならば、環状ビードが、閉じられた周面すなわち環状面３９を有するからである。このために、容器３が開けられるべきときに、密封キャップ７は、容器３の面上で容易に捻回されることができる。
【００３３】
カム２５が直に環状ビード３５に接続されているので、ここでは、環状面３９と外周面３４の間の移行部が省略される。それ故に、安全リングの縁部２７は、ここでは曲げることができない。むしろ、上で詳述したように、縁部２７は上面３１から起動斜面２９，２９´に沿って外周面２４の方向に延びている。
【００３４】
密封キャップ７の底部９が口３３を閉じるように、密封キャップ７が容器３に直に装着されてなる蓋締装置１を形成することは、基本的に可能である。この場合、底部９の、口３３に向いた内側に、適切なパッキングが設けられることは好ましい。
【００３５】
図５は、他方、密封キャップが取り外された容器３を、斜視図で示す。同一の部材には、同様に、同一の参照符号が付されている。それ故に、前記複数の図に対する記述、特に、図４に対する記述を参照するよう指示する。
【００３６】
図４に示した例との唯一の相違は、容器３が、ストッパ４１によって閉じられていることにある。このストッパは、ここでは見えない延長部によって、容器に嵌め込まれており、それ故に、ストッパのヘッド４３が口を塞ぐ。
【００３７】
容器３は、ストッパ４１自体によって、またはストッパと容器の間に挿入されたパッキングによって直接閉じられることができる。それ故に、容器の液状の中味が漏れ出ない。ストッパ４１は、ガラス、石器、プラスチック等からなってもよい。
【００３８】
従って、蓋締装置１は、密封キャップによってしっかり保持されるストッパ４１を有することもできる。
【００３９】
ここに記載した蓋締装置１が、ここに記載したタイプのストッパによって閉じられる容器との関連で用いられる。密封キャップ７は、ストッパを、取扱いに対しおよび不意の開きに対しも確実に保護する。容器を開けることは、安全リング１５がカムの作用によって破り開かれ、かつ密封キャップ７が容易に取り外されることができるように、密封キャップ７を捻回することによって、容易に可能である。密封キャップ７が除去されたとしても、容器３はストッパ４１によって再度閉じられることができる。
【００４０】
図６は、再度、容器３の前方領域を、側面図で示す。ここでも、同一の部材には同一の参照符号が付されている。それ故に、前記記述を参照するよう指示する。
【００４１】
図６は、壁部分５から出ているカム２５を有する容器３の、僅かに変更した実施の形態を示す。
【００４２】
ここでは、カム２５が環状ビード３５まで延びており、外周面２４から測って、環状ビードより高いことが、明瞭に認められる。しかし、上に示したように、環状ビード３５に直に隣接しているカムが、ここに述べたタイプの蓋締装置のためには十分であることを参照するよう明確に指示する。カムの高さが、外周面を越えて延びている、環状ビードの高さよりも大きいことは、不必要である。
【００４３】
図７は、容器３の、図６に示した部分を左から見た図を示す。図６に破線で示した、容器３の壁部４３が、明瞭に認められる。外周面２４からはカム２５が出ている。このカムは外周面２４に垂直方向に降下するのではなくて、上記起動斜面２９および２９´を形成する斜めの側面を有する。
【００４４】
図７には、環状ビード３５の下面または環状ビードの縁部３７が明らかである。
【００４５】
最後に、カム２５のベースの、周方向に測った幅と、上面３１の領域の幅とを自由に選択することができる。容器３に装着された安全リングが、この安全リング１５が破り開かれることなく、カムが容器の閉鎖の際に位置していてなる領域を有することは決定的である。容器３と密封キャップ７との間の相対捻回の際に、起動斜面２９および２９´は安全リングを拡張して、この安全リングが破り開かれる。安全リングが、上記少なくとも１つの垂直方向の切れ目２１，２１´を有することは好ましい。垂直方向の切れ目は、安全リング１５の破り開きを容易化し、安全リング内に所定の引き裂き領域を設けるために用いられ、更に、取扱いおよび最初の開きをより容易に認識させるために用いられる。
【００４６】
カムの数を垂直方向の切れ目の数に合わせることは好ましい。カムの数が垂直方向の切れ目の数よりも多くてもまたは少なくても好ましい。カムの数が１よりも多いとき、容器３に対し密封キャップ７を捻回する際に、安全リング１５を完全に破り開くための捻回運動がより短い。図７に示した実施の形態の場合のように、只１つのカム２５が設けられているとき、密封キャップ７が約３６０°捻回されねばならない。その目的は、安全リング１５をその全体的な周面に亘って拡張し、好ましくは破り開いて、密封キャップを容器から取り去ることができるためである。例えば３つのカムが設けられるとき、約１２０°の捻回で十分である。
【００４７】
あらゆる点から判断して、ここで述べたタイプの蓋締装置をプラスチックからなる密封キャップと組み合わせ、容器の最初の閉鎖の際にカムが安全リングをまだ破り開かないよう意図することは、基本的には全く可能である。容器に対して密封キャップを捻回する際に（この場合、捻回方向は重要ではない）、カムは安全リングを拡張して、安全リングは破られる。密封キャップがプラスチックからなる場合でも、好ましくは少なくとも１つの垂直方向の切れ目が設けられている。その目的は、密封キャップの捻回の際に力を余りに増大させないためである。
【００４８】
ここに記載された蓋締装置は、容器３に直に装着可能な複数の密封キャップ７を有することができる。これらの密封キャップは、底部の領域に、容器の口に向いたパッキングを有する。しかし、蓋締装置１が、容器３を液密に閉じる複数のストッパ４１を有することは好ましい。この場合、密封キャップ７はパッキングを必要としない。何故ならば、容器３の液密な密封は、ストッパ４１によって、場合によってはパッキングとの関連で形成されるからである。この蓋締装置では、ストッパ４１は密封キャップによって守られる。
【００４９】
ここに記載されたタイプの蓋締装置は、特に好ましい。この蓋締装置の場合、密封キャップ７はアルミニウムからなる。何故ならば、この材料は、容器３の中味を損傷せず、特に容易に、特に、従来の縁取り手段を用いて、安全リング１５の縁部２７の領域で、縁取りされることができるからである。容器３が環状ビード３５を有してなる蓋締装置１が、特に好都合である。この環状ビードは縁取り工程の際に密封キャップ７を支持し、縁部３７によって、所定の領域を設ける。この領域では、安全キャップが縁取りされる。更に、縁部３７において、密封キャップ７が特に良好に支持される。
【００５０】
安全リング１５を破り開くためには、ここに詳述されたカム２５が必要である。このカムは環状ビード３５に直に隣接し、または環状ビードに入り込みことができる。この場合、カムの高さが環状ビードの高さよりも大きいことが提案されていることは好ましい。しかし、以上の説明から、カム２５が環状ビード３５と同一の高さを有するか、環状ビードよりも低くてもよいことがあることが明らかになる。密封キャップ７と容器３との間の捻回運動の際に、安全リングが拡張され好ましくは破り開かれるので、蓋締装置での取扱いおよび最初の開きが使用者に明瞭に認識されることは決定的である。更に、安全リングの拡張または破り開きの後に、密封キャップが、軸方向にすなわち中心軸２３の方向に取り外されることができる。それ故に、容器３は開いているか、少なくともストッパ４１が使用者にとって自由に接近可能である。
【００５１】
更に、カム２５の数が最後に自由に選択可能であることも、明らかになる。密封キャップ７は、カム２５が安全リングの全領域を拡張し、安全リングを場合によっては破り開くまで、捻回される。
【００５２】
以上の説明から読み取れるように、安全リング１５の構造が、広い枠内で自由に選択されることができる。一方では、環状の予定破断線１３を省略することは可能であり、他方では、少なくとも１つの垂直方向の切れ目２１も省略することができる。この場合、少なくとも１つの垂直方向の切れ目が設けられているとき、安全リング１５の下縁の拡張のための力が著しく減じられることが考慮されなくてはならない。しかし、この効果は、密封キャップ７の材料がより薄くか軟らかく選択されることによっても、もたらされることができる。
【００５３】
同様のことが予定破断線１３に当て嵌まる。安全リング１５の下縁２７が、カム２５の作用によって、拡張される。予定破断線１３によって可能であるのは、複数の垂直方向の切れ目によって、いわば、予定破断線１３の領域に径方向外側に旋回する複数の環状セグメントが作られるとき、特にそのときに、ジャケット２１の下縁が外側へ旋回することである。この旋回運動は、密封キャップ７の捻回運動の際の開く力が、減じられることをもたらす。ここでも、ジャケット１１のより軟らかい材料またはより薄い壁部によって、開く力、すなわち、密封キャップ７の捻回もために必要な力を減じることが可能である。
【００５４】
蓋締装置１の機能にとって決定的であるのは、以下の事実である。すなわち、縁部２７が、密封キャップの捻回運動によって、カム２５によって拡張されて、密封キャップ７が軸方向に外されるまで、密封キャップ７が、軸方向に見て、容器３に保持されるということである。
【００５５】
あらゆる点から判断して、密封キャップ７が簡単な捻回運動によって開けられることができることも明らかになる。従って、密封キャップ７の捻回運動の際に同時に密封キャップの軸方向運動を引き起こすだろうねじを、容器３の外面に設ける必要はない。密封キャップ７の下縁２７が、単なる捻回運動によって、曲げられる。この場合、密封キャップ７の重なった軸方向運動も必要としない。
【００５６】
カムの形状は可変である。カムは、ここに示すように、矩形の、むしろ角形のまたは楕円形のベースを有することができる。密封キャップの捻回を妨げるべきでなく、安全リングが拡張され好ましくは破き開けることができることを保証しなければならない起動斜面が決定的である。
【００５７】
図８は、ここに記載されたタイプの蓋締装置の、好ましくは部分であり、延長部４５によって容器の口に差し込見可能であるストッパ４１を示す。延長部４５とストッパ４１のヘッド４７の間の移行領域には、環状の環状溝４８が設けられている。この環状溝にはパッキングが挿入されることができる。パッキング４９のあり得る構造は、図９に示されている。パッキングは、環状溝４８に挿入可能なシリンダ状の取付部５１を有する。この取付部には、若干数の環状のリブ５５を有する環状のパッキング部分５３が接続されている。これらのリブは、ストッパ４１の装着の際に、容器の口と係合しており、この容器を密封状態で閉じる。従って、パッキング４９は、容器３を、一方では取付部５１によっておよび／または他方ではリブ５５によって密封状態で閉じることができる。
【００５８】
以下、口を有する容器を閉じる方法に詳細に立ち入ろう。ここに記載された蓋締装置１を用いる方法は特に好ましい。
【００５９】
この方法では、まず密封キャップ７を容器３の口に装着することが提案されている。次の段階では、密封キャップは、プランジャによって、容器の口に押し被せられる。次に、密封キャップ７の安全リングが縁取りされ、すなわち、安全リングが容器３の壁部分５の外周面２４の方向に曲げられる。壁部分５はカム２５を有する。カムは安全リング１５の領域に設けられていて、縁取りの際に安全リング１５の縁部２７がここでは変形されない、すなわち曲げられないようになっている。カム２５の上面３１の領域では、密封キャップの縁部２７が実際に変わらないままである。上面３１に隣接しかつ起動斜面２９および２９´を形成する領域では、縁部２７はカム２５の外面に形成される。それ故に、縁部がカムを側方で包摂して、形状係合が形成される。
【００６０】
方法が、容器にまずストッパ４１が装着されることによって、変更可能であることは好ましい。このとき初めて、上記の複数の段階が実施される。すなわち、容器の口に密封キャップを装着すること。口は今やストッパによって閉じられている。密封キャップを押し被せること。安全リングの縁部を縁取りすること。縁部は、カムの領域では変形されない。それ故に、安全リングの、縁取りされた領域は、カを側方で覆う。
【００６１】
蓋締装置がストッパなしに形成されるとき、密封キャップの底部とジャケットの間の移行領域が、深絞り工程に晒されるのは好ましい。その目的は、この場合密封キャップに設けられたパッキングを容器に押し当てるためである。
【００６２】
あらゆる点から判断して、この方法が可変であることは明らかである。
【００６３】
蓋締装置に関するおよび容器を閉じるための方法に関する説明からは、容易に実現可能である蓋締装置のための解決策が、ここで、立てられることが明らかになる。更に、蓋締装置が、何かの補助手段なしに、開けられることができることが明らかである。密封キャップ７は、閉じられる容器３に対する相対捻回によって、緩められる。すなわち、カムは安全リングを拡張し、安全リングを、好ましくは予定破断線に沿って破り開く。このことによって、密封キャップは容器から取り除かれることができる。それ故に、容器は、場合によっては、密封キャップの下にあるストッパの取り外し後に、開けられ、容器の中味に接近可能である。ここに記載されたタイプの蓋締装置を有する容器を開けるためには、カプセル・リフタ（Kapselheber）、コルク栓抜き等は全然必要ない。カムの起動斜面の構造およびカムの高さによって、更に、密封キャップの安全リングの構成によって、密封キャップの捻回に必要な力が、広い範囲内で調整されることができる。基本的には、密封キャップに、平滑な外面を備えることは可能である。それ故に、外面は肉眼で非常に魅力的に作用する。しかし、刻み付け等を設けることも考えられる。
【００６４】
密封キャップの高さ、すなわち、密封キャップの底部と、密封キャップの安全リングとの間隔は、幅の広い範囲で変えることができる。何故ならば、閉じられる容器の外面、特に口の周りの壁部分の外面には、ねじ等を設ける必要がないからである。従って、容器に美的要素を備えるためには、非常に平らな密封キャップを構成すること、しかしまた、壁部分の広い領域を越えて延びている高い密封キャップを形成することが可能である。カムは、密封キャップの構成に従って、種々に位置決めされねばならない。その目的は、カムが、常に、安全リングの領域に設けられており、安全リングを破り開くことができるためである。
【図面の簡単な説明】
【００６５】
【図１】閉じた状態にある蓋締装置の側面図を示す。
【図２】破り開けた状態にある蓋締装置の側面図を示す。
【図３】安全リングが成形される前の蓋締装置の側面図を示す。
【図４】開いた容器の側面図を示す。
【図５】ストッパによって閉じられた容器の側面図を示す。
【図６】密封キャップのない容器の口領域の側面図を示す。
【図７】図６に示した口領域の底面図を示す。
【図８】ストッパの側面図を示す。
【図９】図８に示したストッパとの関連で使用可能なパッキングの斜視図を示す。
【図１】
2006527690.tif 000003
【図２】
2006527690.tif 000004
【図３】
2006527690.tif 000005
【図４】
2006527690.tif 000006
【図５】
2006527690.tif 000007
【図６】
2006527690.tif 000008
【図７】
2006527690.tif 000009
【図８】
2006527690.tif 000010
【図９】
2006527690.tif 000011
【国際調査報告】
2006527690.tif 000012
2006527690.tif 000013
2006527690.tif 000014
2006527690.tif 000015
2006527690.tif 000016
2006527690.tif 000017